(57)【要約】【課題】カップ容器への取付け工程を機械化することができ、２段のマルチパックでは意匠性も向上させたカップ容器用スリーブを提供すること。【解決手段】脚部を有するカップ容器Ｃに対して縦方向に周回する状態で取り付けられるスリーブ１０であって、内側底板部分１４と外側底板部分１５とからなる二重構造の底部を有し、内側底板部分１４にはカップ容器の脚部の中に嵌まるロック片１４ａが設けられ、外側底板部分１５にはロック片１４ａを押し上げるための起立片１５ａが設けられており、起立片１５ａはロック片１４ａを斜めに押し上げた状態でロック片１４ａと係止可能になる。カップ容器を囲むように取り付けた後、起立片１５ａを外部から押してロック片１４ａを押し上げると、ロック片１４ａがカップ容器Ｃの脚部の中に嵌まり込んだ状態で起立片１５ａにより固定される。【選択図】図４
2008213895.tif 000002
【特許請求の範囲】
【請求項１】
脚部を有するカップ容器に対して縦方向に周回する状態で取り付けられるスリーブであって、内側底板部分と外側底板部分とからなる二重構造の底部を有し、内側底板部分にはカップ容器の脚部の中に嵌まるロック片が設けられ、外側底板部分にはロック片を押し上げるための起立片が設けられており、起立片はロック片を斜めに押し上げた状態でロック片と係止可能になることを特徴とするカップ容器用スリーブ。
【請求項２】
スリーブが、一列に並んだ複数個のカップ容器に対してこれらを束ねるために縦方向に周回する状態で取り付けられるマルチパックタイプであることを特徴とする請求項１に記載のカップ容器用スリーブ。
【請求項３】
スリーブが、上下２段に重なった複数個のカップ容器に対してこれらを束ねるために縦方向に周回する状態で取り付けられるマルチパックタイプであることを特徴とする請求項１に記載のカップ容器用スリーブ。
【発明の詳細な説明】
【技術分野】
【０００１】
本発明は、カップ容器の技術分野に属し、詳しくは、一つのカップ容器に取り付けたり或いは複数のカップ容器をまとめたりする際に使用されるカップ容器用スリーブに関するものである。
【背景技術】
【０００２】
従来より、ヨーグルト、ジャム、ピーナッツバター、アイスクリーム等の食品の販売形態の一つとして、食する時の便宜を考慮し、これらの食品を個々のカップ容器に入れたものが広く利用されている。そして、カップ容器が一つの場合には、搬送中などに過って蓋が開かないように、また店頭にて悪戯で蓋が開けられないように、さらには販促効果を促進するために、カップ容器にシュリンクフィルムをかけたり、帯状のスリーブでカップ容器を縦方向に巻いたりすることが行われている。そして、板紙製のスリーブを用いる場合、カップ容器の周囲にスリーブを巻きつけ、カップ容器の底でスリーブの先端同士を糊付けしたり互いにロックすることで販売形態としている。
【特許文献１】実開平１−１２６９６３号公報
【０００３】
また、上記のカップ容器を２〜３個まとめたマルチパックの形態も採られており、例えば板紙製のスリーブを用いて束ねることが行なわれている。また、２〜３個を上下２段に重ねて集積したマルチパックも利用されており、この場合も板紙製のスリーブを用いて束ねることが行なわれている。このようなマルチパックを形成するスリーブは、天面部の両サイドにカップ容器のフランジが入るスリットを設けたり、側面にスリーブ取外し用のジッパーを設けたりしている。また、上下２段のマルチパックでは、下段のカップ容器が外れないようにスリーブの側面に容器固定のための孔を設けている。
【発明の開示】
【発明が解決しようとする課題】
【０００４】
上記したように、従来のカップ容器用スリーブは、スリーブの取付けに際し、スリーブをカップ容器に巻きつけて、カップ容器の底でスリーブの先端同士を手でロックして固定している。すなわち、スリーブの一端側にあるロック片を手で他端側のスリットに突き刺して止めている。したがって、スリーブの取付け工程は、手作業で行うしかなく、そのための人員を確保するのが難しい上に、コストが高くなるという問題があった。また、上下２段のマルチパックでは、下段のカップ容器が外れないようにスリーブの側面に容器固定のための孔を設けているが、この孔があるためにスリーブに施す印刷等のデザインに限界があった。
【０００５】
本発明は、このような事情に鑑みてなされたものであり、その目的とするところは、カップ容器への取付け工程を機械化することができ、２段のマルチパックでは意匠性も向上させたカップ容器用スリーブを提供することにある。
【課題を解決するための手段】
【０００６】
上記の目的を達成するため、本発明のカップ容器用スリーブは、脚部を有するカップ容器に対して縦方向に周回する状態で取り付けられるスリーブであって、内側底板部分と外側底板部分とからなる二重構造の底部を有し、内側底板部分にはカップ容器の脚部の中に嵌まるロック片が設けられ、外側底板部分にはロック片を押し上げるための起立片が設けられており、起立片はロック片を斜めに押し上げた状態でロック片と係止可能になることを特徴としている。
【０００７】
そして、上記構成のカップ容器用スリーブは、１個のカップ容器に取り付けるシングルタイプでもよいが、一列に並んだ複数個のカップ容器に対してこれらを束ねるために縦方向に周回する状態で取り付けられるマルチパックタイプであってもよいし、上下２段に重なった複数個のカップ容器に対してこれらを束ねるために縦方向に周回する状態で取り付けられるマルチパックタイプであってもよい。
【発明の効果】
【０００８】
本発明のカップ容器用スリーブは、カップ容器を囲むように取り付けた後、外側底板部分の起立片を外部から押して内側底板部分のロック片を押し上げると、ロック片がカップ容器の脚部の中に嵌まり込んだ状態で起立片により固定され、カップ容器に対して外れない状態で取り付けられることから、カップ容器に被せて底にある起立片を押すという簡単な手順でカップ容器への取付けが完了し、今まで手作業で行っていたスリーブ取付け工程の機械化を図ることができる。また、２段のマルチパックを束ねるスリーブの場合は、下段のカップ容器を固定するための孔が不用となり、スリーブ側面の表示面が拡大することから意匠性を向上させることができる。
【発明を実施するための最良の形態】
【０００９】
次に、本発明の実施の形態について図面を参照しながら詳細に説明する。
【００１０】
図１は本発明に係るカップ容器用スリーブの一例を示す展開図、図２は図１のカップ容器用スリーブをサック貼りした状態で示す平面図、図３はサック貼りしたカップ容器用スリーブの底部を内側から見た状態で示す説明図、図４は図１のカップ容器用スリーブを使用状態で示す斜視図、図５は図４の縦方向断面図、図６は図４における底部の説明図である。
【００１１】
このカップ容器用スリーブ１０は、１個のカップ容器に取り付けるシングルタイプのスリーブで、所定の印刷が施された板紙を打ち抜いて形成されており、図１に示すように、天板部分１１の両側に折線ａ，ｂを介してそれぞれ側板部分１２，１３が連設され、一方の側板部分１２には折線ｃを介して内側底板部分１４が連設され、他方の側板部分１３には折線ｄを介して外側底板部分１５が連設されている。なお、他方の側板部分１３の外側底板部分１５寄りに設けられた折線ｅはサック貼り時に必要となる折線である。
【００１２】
内側底板部分１４には中央から側板部分１２寄りの位置に折曲げ用のミシン目αが形成されており、このミシン目αから先端寄りの部分がロック片１４ａを構成しており、そのロック片１４ａの先端には切り欠かれた形状の凹部１４ｂが設けられ、凹部１４ｂを囲むようにして開口１４ｃが形成されている。一方、外側底板部分１５には、その側板部分１３寄りのところにロック片１４ａの凹部１４ｂに嵌まり込んで係止するための凸部１５ｂを先端に有する起立片１５ａが区画されている。この起立片１５ａは、内側底板部分１４の開口１４ｃに対応した位置に設けてあり、ミシン目βを底辺として起立可能になっている。なお、開口１４ｃを形成する代わりに、開口１４ｃに相当する部分を、図のγで示す線のところを折曲げ用のミシン目とするフラップとしてもよく、このようにすることで打抜き時にゴミが生じない。
【００１３】
カップ容器用スリーブ１０は図２に示すサック貼りした状態で供給される。具体的には、スリーブ１０を折線ａ，ｅのところで順次折り曲げ、内側底板部分１４の根元と外側底板部分１５の先端とを貼り合わせる。すなわち、図の斜線で示すように外側底板部分１５の先端付近を内側底板部分１４におけるミシン目αより内側寄りのところに糊付けする。これにより、起立片１５ａのミシン目βが開口１４ｃの中に位置し、起立片１５ａの凸部１５ｂは凹部１４ｂの底よりミシン目αの方に寄ったところに位置する。
【００１４】
スリーブ１０をカップ容器Ｃに取り付ける手順は次のようである。まず、サック貼りしたスリーブ１０を角筒状に起こし、脚部を有するカップ容器Ｃを、スリーブ１０の縦方向に開く口から挿入する。次に、外側底板部分１５の起立片１５ａを外側から押して内側底板部分１４のロック片１４ａを押し上げ、起立片１５ａの先端にある凸部１５ｂをロック片１４ａの凹部１４ｂの底を乗り越えさせて、図４〜６に示すように、起立片１５ａの先端にある凸部１５ｂをロック片１４ａの凹部１４ｂに係合させる。この時、外側底板領域１５の起立片１５ａはミシン目βのところで、また内側底板部分１４のロック片１４ａはミシン目αのところで簡単に折れ曲がる。このようにして、内側底板部分１４のロック片１４ａがカップ容器Ｃの脚部の中に嵌まり込んだ状態となり、スリーブ１０がカップ容器Ｃに対して簡単には外れない状態で取り付けられる。なお、以上の手順は横型カートナーを改造して自動で行なうこともできる。
【００１５】
図７は本発明に係るカップ容器用スリーブの別の例を示す展開図、図８は図７のカップ容器用スリーブをカップ容器に取り付ける様子を示す斜視図、図９はカップ容器に取り付けた状態で示す底面図、図１０はカップ容器用スリーブを使用状態で示す斜視図、図１１は図１０の縦方向断面図、図１２は図１０における底部の説明図である。
【００１６】
このカップ容器用スリーブ２０は、２個のカップ容器を束ねるマルチパックタイプのスリーブで、所定の印刷が施された板紙を打ち抜いて形成されており、図７に示すように、天板部分２１の両側に折線ａ，ｂを介してそれぞれ側板部分２２，２３が連設され、一方の側板部分２２には折線ｃを介して細幅の内側底板部分２４が連設され、他方の側板部分２３には折線ｄを介して外側底板部分２５が連設されている。
【００１７】
内側底板部分２４にはその幅方向中ほどの位置に２本のミシン目αが並んで形成されており、各ミシン目αを起点として内側底板部分２４から突き出る形状でそれぞれロック片２４ａが設けられ、それらのロック片２４ａの先端には切り欠かれた形状の凹部２４ｂがそれぞれ設けられている。一方、外側底板部分２５には、その側板部分２３寄りのところに各ロック片２４ａの凹部２４ｂに嵌まり込んで係止するための凸部２５ｂを先端に有する２つの起立片２５ａが並んで区画されている。これらの起立片２５ａは、ミシン目βを底辺として起立可能になっている。
【００１８】
カップ容器用スリーブ２０は、図８に示すように、２個のカップ容器Ｃを包み込むようにして取り付けられる。具体的には、スリーブ２０を各折線ａ〜ｄのところで折り曲げつつ２個のカップ容器Ｃを包み込み、図の斜線で示すように、内側底板部分２４の表面に外側底板部分２５の先端裏側を貼り合わせる。これにより、図９に示すように、起立片２５ａの凸部２５ｂの中間をロック片２４ａの凹部２４ｂの底が横切るとともに、起立片２５ａのミシン目βがロック片２４ａの先端より外側に位置するようにしてロック片２４ａの上に起立片２５ａが重なる。
【００１９】
このようにスリーブ２０を２個のカップ容器Ｃに巻き付けてから、外側底板部分２５の２つの起立片２５ａを外側からそれぞれ押して内側底板部分２４のロック片２４ａを押し上げ、各起立片２５ａの先端にある凸部２５ｂをロック片２４ａの凹部２４ｂの底を乗り越えさせて、図１０〜１２に示すように、各起立片２５ａの先端にある凸部２５ｂをそれぞれロック片２４ａの凹部２４ｂに係合させる。この時、外側底板領域２５の２つの起立片２５ａはそれぞれミシン目βのところで、また内側底板部分２４の２つのロック片２４ａはそれぞれミシン目αのところで簡単に折れ曲がる。このようにして、内側底板部分２４の２つのロック片２４ａが２個のカップ容器Ｃの脚部の中にそれぞれ嵌まり込んだ状態となり、２個のカップ容器Ｃがスリーブ２０により簡単には外れない状態で束ねられた状態となる。
【００２０】
図７〜図１２で説明したカップ容器用スリーブ２０は、２個のカップ容器を束ねるマルチパックタイプのスリーブであるが、カップ容器が並ぶ方向に長くしてロック片２４ａと起立片２５ａを増やすことで３個以上のカップ容器を束ねるようにすることもできる。
【００２１】
また、スリーブ２０における側板部分２２，２３の高さをカップ容器２段分とすることにより、上下２段に重なったカップ容器に対してこれらを束ねるマルチパックタイプのスリーブとすることもできる。この場合、上段のカップ容器の脱落を防止するため、天板部分２１と側板部分２２，２３との境界部分に上段のカップ容器のフランジ部が入るスリットを設けることが望ましい。
【００２２】
以上、本発明の実施の形態について詳細に説明してきたが、本発明によるカップ容器用スリーブは、上記実施の形態に何ら限定されるものではなく、本発明の趣旨を逸脱しない範囲において種々の変更が可能であることは当然のことである。
【００２３】
例えば、図１〜図６で説明したスリーブ１０では、ロック片１４ａの先端に切欠形状の凹部１４ｂを設け、起立片１５ａにはその凹部１４ｂに嵌まる凸部１５ｂを設けたし、図７〜図１２で説明したスリーブ２０では、ロック片２４ａの先端に切欠形状の凹部２４ｂを設け、起立片２５にはその凹部２４ｂに嵌まる凸部２５ｂを設けたが、ロック片と起立片の形状はこの組合せに限定されるものではない。要は、外側底板部分の起立片が内側底板部分のロック片を斜めに押し上げた状態でロック片と係止可能になっていればよいので、この条件を満たすようにロック片と起立片の形状を適宜設計すればよい。
【００２４】
また、ロック片１４ａ，２４ａと起立片１５ａ，２５ａについてはその折れ曲がりやすさを考慮して根元部分をミシン目α，βとしたが、罫線でも構わない。要は、起立片１５ａ，２５ａを外部から押した際にロック片１４ａ，２４ａとともに折れ曲がりさえすればよいので、ミシン目でも罫線でも適宜採用すればよい。
【図面の簡単な説明】
【００２５】
【図１】本発明に係るカップ容器用スリーブの一例を示す展開図である。
【図２】図１のカップ容器用スリーブをサック貼りした状態で示す平面図である。
【図３】サック貼りしたカップ容器用スリーブの底部を内側から見た状態で示す説明図である。
【図４】図１のカップ容器用スリーブを使用状態で示す斜視図である。
【図５】図４の縦方向断面図である。
【図６】図４における底部の説明図である。
【図７】本発明に係るカップ容器用スリーブの別の例を示す展開図である。
【図８】図７のカップ容器用スリーブをカップ容器に取り付ける様子を示す斜視図である。
【図９】カップ容器に取り付けた状態で示す底面図である。
【図１０】カップ容器用スリーブを使用状態で示す斜視図である。
【図１１】図１０の縦方向断面図である。
【図１２】図１０における底部の説明図である。
【符号の説明】
【００２６】
Ｃ  カップ容器
１０  スリーブ
１１  天板部分
１２，１３  側板部分
１４  内側底板部分
１４ａ  ロック片
１４ｂ  凹部
１４ｃ  開口
１５  外側底板部分
１５ａ  起立片
１５ｂ  凸部
２０  スリーブ
２１  天板部分
２２，２３  側板部分
２４  内側底板部分
２４ａ  ロック片
２４ｂ  凹部
２５  外側底板部分
２５ａ  起立片
２５ｂ  凸部
ａ〜ｅ  折線
α，β  ミシン目
【図１】
2008213895.tif 000003
【図２】
2008213895.tif 000004
【図３】
2008213895.tif 000005
【図４】
2008213895.tif 000006
【図５】
2008213895.tif 000007
【図６】
2008213895.tif 000008
【図７】
2008213895.tif 000009
【図８】
2008213895.tif 000010
【図９】
2008213895.tif 000011
【図１０】
2008213895.tif 000012
【図１１】
2008213895.tif 000013
【図１２】
2008213895.tif 000014